(57)【要約】【課題】部屋の壁際に設置する場合にも通気性を確保し、植物繊維ボードなどの調湿板材が本来的に有する高い調湿機能を十分に発揮することのできる収納体を提供すること。【解決手段】背板６は、調湿性を有する調湿板材１２であり、背板の背面６ａの周端縁部に枠材１９が配設されて収納体１は、枠材によって形成された補強枠２０を背側に備え、枠材には補強枠の内外を連通させる通気溝２１が形成されている。【選択図】図１
2010252871.tif 000002
【特許請求の範囲】
【請求項１】
天板、底板、左右の側板および背板から形成され、収納部を内側に有する箱状の収納体において、背板は、調湿性を有する調湿板材であり、背板の背面周端縁部に枠材が配設されて収納体は、枠材によって形成された補強枠を背側に備え、枠材には補強枠の内外を連通させる通気溝が形成されていることを特徴とする収納体。
【請求項２】
通気溝は、収納体の上下方向に配置されていることを特徴とする請求項１に記載の収納体。
【請求項３】
補強枠には、左右に位置する２本の枠材を横方向に連結する桟材が付設され、桟材には、補強枠の内側に連通する連通溝が、収納体の上下方向に形成されていることを特徴とする請求項２に記載の収納体。
【請求項４】
連通溝は、通気溝と同一直線上に配置されていることを特徴とする請求項３に記載の収納体。
【発明の詳細な説明】
【技術分野】
【０００１】
本発明は、収納部の調湿機能を有する収納体に関する。
【背景技術】
【０００２】
下記特許文献１に記載した収納体は、調湿性を有する植物繊維ボードを構成部材の一部としたものである。植物繊維ボードは、植物から得られるリグノセルロース繊維同士がバインダーで接着されて形成され、内部に調湿材が保持されている。湿気を含んだ空気は、植物繊維ボードの内外を行き来することができ、植物繊維ボードは、湿度が高いときに空気中の水分を吸収し、乾燥しているときは水分を空気中に放出する。このような吸放湿によって、特許文献１に記載した収納体は、収納部を適度な湿度に保つことができる。
【先行技術文献】
【特許文献】
【０００３】
【特許文献１】特開２００８−２３７５９０号公報
【発明の概要】
【発明が解決しようとする課題】
【０００４】
上記植物繊維ボードを含め、調湿性を有する板材は、空気の流通を必要不可欠とするものであることから、表面に化粧材を貼り、意匠性の向上を図ろうとすると、通気性が阻害されるため、収納体では背板に適用するのが一般的となっている。
【０００５】
しかしながら、広く一般に行われているように、収納体を部屋の壁際に内壁に接して設置することを想定すると、このような設置状態では、背板と部屋の内壁との間に隙間が形成されにくいことから、空気の流通が悪くなり、湿気が収納部にこもって結露やカビの発生を十分に抑制することが難しくなる。
【０００６】
本発明は、以上のとおりの事情に鑑みてなされたものであり、部屋の壁際に設置する場合にも通気性を確保し、植物繊維ボードなどの調湿板材が本来的に有する高い調湿機能を十分に発揮することのできる収納体を提供することを課題としている。
【課題を解決するための手段】
【０００７】
本発明は、上記の課題を解決するために、以下の特徴を有している。
【０００８】
第１の発明は、天板、底板、左右の側板および背板から形成され、収納部を内側に有する箱状の収納体において、背板は、調湿性を有する調湿板材であり、背板の背面周端縁部に枠材が配設されて収納体は、枠材によって形成された補強枠を背側に備え、枠材には補強枠の内外を連通させる通気溝が形成されていることを特徴としている。
【０００９】
第２の発明は、上記第１の発明の特徴において、通気溝は、収納体の上下方向に配置されていることを特徴としている。
【００１０】
第３の発明は、上記第２の発明の特徴において、補強枠には、左右に位置する２本の枠材を横方向に連結する桟材が付設され、桟材には、補強枠の内側に連通する連通溝が、収納体の上下方向に形成されていることを特徴としている。
【００１１】
第４の発明は、上記第３の発明の特徴において、連通溝は、通気溝と同一直線上に配置されていることを特徴としている。
【発明の効果】
【００１２】
上記第１の発明によれば、調湿板材である背板の背面周端縁部に枠材が配設され、この枠材によって形成された補強枠を背側に備えるとともに、枠材には補強枠の内外を連通する通気溝が形成されているので、収納体を部屋の壁際に設置する場合にも背板と部屋の内壁との間に通気路が形成され、通気性を確保することができる。収納体の収納部に空気はこもることがなく、空気は背板を通じて収納部の内外を流通する。このため、背板である調湿板材は、本来的に有する高い調湿機能を十分に発揮し、収納部の湿度を適切に制御することができる。また、補強枠によって背板が補強され、調湿板材の強度がさほど高くない場合にも収納体の強度は十分に確保される。
【００１３】
上記第２の発明によれば、上記第１の発明の効果に加え、通気溝が収納体の上下方向に配置されているので、補強枠の内側部分における空気の滞留を抑えることができ、収納体の背側における空気の流通が十分に行われる。
【００１４】
上記第３の発明によれば、上記第２の発明の効果に加え、桟材によって補強枠の強度が向上し、収納体の強度はより十分に確保される。また、桟材には、補強枠の内側に連通する連通溝が形成されているので、桟材によって収納体の背側の通気路が遮断されることはなく、通気性も十分に確保される。さらに、連通溝も収納体の上下方向に配置されているので、桟材を付設した場合にも収納体の背側における空気の流通が十分に行われる。
【００１５】
上記第４の発明によれば、上記第３の発明の効果に加え、連通溝が通気溝と同一直線上に配置されているので、収納体の背側における空気の流通がスムーズに行われる。
【図面の簡単な説明】
【００１６】
【図１】本発明の収納体の一実施形態を示した背側から見た斜視図である。
【図２】図１に示した収納体の正面側から見た斜視図である。
【図３】図１に示した収納体を、部屋の壁際に設置したときの状態を合わせて示した要部縦断面図である。
【図４】＜ａ＞＜ｂ＞は、それぞれ、図１に示した収納体の背板に適用可能な調湿板材を示した断面図である。
【発明を実施するための形態】
【００１７】
図１−３に示した収納体１は、上下に対向配置される天板２および底板３、左右に対向配置される側板４、５、ならびに背板６から直方体状の箱体として形成されている。
【００１８】
天板２および底板３は、互いに大きさの等しい長方形状の板材であり、側板４、５も互いに大きさの等しい長方形状の板材である。天板２は、その側端面を側板４、５の上端縁部の対向面に当接させ、ダボ、ビスなどの固着具、接着剤、Ｌアングルなどの固定治具などによって側板４、５に固定されている。また、天板２の天面は、側板４、５の上端面と同一面上に配置され、前側と背側の端面は、それぞれ、側板４、５の前側と背側の端面と同一面上に配置されている。同様に、底板３は、側板４、５の下端縁部に固定され、底板３の底面が側板４、５の下端面と同一面上に配置され、前側と背側の端面が、それぞれ、側板４、５の前側と背側の端面と同一面上に配置されている。
【００１９】
背板６は、長方形状で、天板２、底板３および側板４、５と比較して厚さの薄い板材である。背板６は、同一面上に配置された天板２および底板３の背側の端面ならびに側板４、５の背側の端面に四周端縁面を重合させ、ビスなどの固着具、接着剤、Ｌアングルなどの固定治具などによって固定されている。背板６の上端面は天板２の天面と、下端面は底板３の底面と同一面上に配置され、左右の端面は側板４、５の側面と同一面上に配置されている。
【００２０】
このような天板２、底板３、左右の側板４、５および背板６から形成された箱状の収納体１は、内側に収納部７を有し、収納部７は前方に開口している。
【００２１】
また、収納体１には、収納部７の前側開口部を開閉する前扉板８が配設されている。前扉板８は、収納体１の正面形状である長方形と同じ大きさの長方形状であり、その右側端面と右側の側板４の側面前端部とをつなぐ蝶番９によって左右方向に回動自在に取り付けられている。蝶番９は３つ取り付けられ、収納体１の上下方向に所定の間隔を隔てて配置されている。また、前扉板８の回動側端部の前面には、前扉板８の操作を容易とする略コ字形の形状を有する取っ手１０が取り付けられている。
【００２２】
さらに、収納体１には、床面Ｆ上に設置する際に前扉板８の下端部が床面Ｆに接触しないように、台輪１１が底板３に取り付けられている。台輪１１の前面は、底板３の前端面より背側に配置され、前方に蹴込みなどを形成可能としているとともに、左右の側面は、左右の側板４、５より内側に配置されている。一方、台輪１１の背面は背板６の背面６ａとほぼ同一面上に配置されている。
【００２３】
収納体１を形成する天板２、底板３、左右の側板４、５および収納部７を開閉する前扉板８には、たとえば、合板、パーティクルボード、ＭＤＦ（Medium Density Fiberboard（中密度繊維板））などを基材とし、化粧用の表面材が貼着された板材が適用可能である。一方、背板６には、調湿性を有する調湿板材１２が適用されている。
【００２４】
調湿板材１２は、その内外を湿気を含んだ空気が行き来することができ、湿度が高いときには、調湿板材１２は空気中の水分を吸収し、乾燥しているときは水分を空気中に放出する。このような調湿板材１２としては、上記特許文献１に記載したような調湿性繊維ボードが例示される。
【００２５】
図４＜ａ＞に示したように、調湿性繊維ボード１３には、たとえば、植物から得られるリグノセルロース繊維１４を基材として用い、リグノセルロース繊維１４同士をバインダー１５によって接着し、リグノセルロース繊維１４が相互に絡み合い、その間に形成された空隙部に調湿材１６を均一に分散させて保持したものが例示される。このような調湿性繊維ボード１３では、透湿性に優れたリグノセルロース繊維１４によって、湿潤時には上記空隙部に侵入する湿気から水分を調湿材１６が吸収し、乾燥時には調湿材１６から放出される水分が空隙部を通って外部に放出される。
【００２６】
リグノセルロース繊維１４には、主成分がセルロースとリグニンからなるものが使用可能である。具体的には、ケナフ、亜麻、ラミー、大麻、ジュートなどの麻類植物の靱皮から採取される繊維、マニラ麻やサイザル麻などの麻類植物の茎または葉の筋から採取される繊維、木材繊維などが例示される。
【００２７】
バインダー１５としては、たとえば、ユリア樹脂、メラミン樹脂、フェノール・エポキシ樹脂、ウレタン系樹脂などの熱硬化性樹脂接着剤や、酢酸ビニル系接着剤、合成ゴム系接着剤、ポリ乳酸やデンプン系樹脂のエマルジョン接着剤などが例示される。このようなバインダー１５をリグノセルロース繊維１４にスプレーする、バインダー１５中にリグノセルロース繊維１４を含浸させるなどしてリグノセルロース繊維１４をバインダー１５によって接着することができる。
【００２８】
調湿材１６には、たとえば、木炭、竹炭などの炭類、タルク、ゼオライト、珪藻土、シリカゲル、モンモリロナイト、セピオライトなどの粘土鉱物、アルミナ、シリカなどの無機物などが例示される。これらの材料は、多孔質であり、孔に水分が出入りすることによって吸放湿性を示す。
【００２９】
また、調湿性繊維ボード１３は、図４＜ｂ＞に示したようなサンドイッチ構造を有するものとして形成することもできる。この場合、たとえば、リグノセルロース繊維１４を基材として用い、リグノセルロース繊維１４同士をバインダー１５によって接着して植物繊維マット１７を作製し、次に、複数枚の植物繊維マット１７の間に調湿材１６からなる調湿層１８を介在させ、プレス成形することによって、サンドイッチ構造を有する調湿性繊維ボード１３を形成することができる。
【００３０】
調湿板材１２の上記のとおりの吸放湿によって、背板６が調湿板材１２である収納体１の収納部７は適度な湿度に保たれる。収納部７における結露およびカビの発生が抑制され、乾燥し過ぎることがない。収納部７に収納する根菜や果物、革製品、ウール製品などが傷まずにすみ、良好な状態で保存、保管することが可能となる。
【００３１】
そして、収納体１には、図１−３に示したように、背板６の背面６ａの四周端縁部に角材状の枠材１９が配設され、４本の枠材１９によって矩形に形成された補強枠２０が取り付けられている。上下２本の枠材１９および左右２本の枠材１９の端面は４５°に切断され、上下の枠材１９と左右の枠材１９は直交している。また、上下の枠材１９には、断面矩形状の通気溝２１が、背側から背板６側に向かって切り欠かれて形成されている。通気溝２１は、収納体１の上下方向に同一直線上に配置されている。通気溝２１は、補強枠２０が矩形に取り囲む内側部分２２と補強枠２０の外側部分とを上下方向に連通させる。
【００３２】
また、補強枠２０では、左右の２本の枠材１９を横方向に連結する桟材２３が付設されている。桟材２３は、補強枠２０の内側部分２２に配置され、収納体１の上下方向の中央部に取り付けられている。桟材２３には、上下の枠材１９に形成された通気溝２１と同様に、背側から背板６側に向かって切り欠かれて連通溝２４が形成されている。連通溝２４は、断面矩形状であり、補強枠２０の内側に連通している。また、連通溝２４は、収納体１の上下方向に配置されている。桟材２３の付設によって補強枠２０の内側部分２２は、上側部分２２ａと下側部分２２ｂに分割されるが、連通溝２４によって上側部分２２ａと下側部分２２ｂは連通している。しかも、連通溝２４は、通気溝２１と同一直線上に配置されてもいる。
【００３３】
枠材１９に形成される通気溝２１および桟材２３に形成される連通溝２４は、枠材１９および桟材２３の強度低下が過度にきたさないことを前提とし、後述するような通気性を考慮して適当な深さのものとすることができる。
【００３４】
このように、収納体１には、通気溝２１が形成された補強枠２０を背側に備えているので、図３に示したように、収納体１を部屋Ｒの壁際に設置する際、補強枠２０を内壁Ｗに当接させても、通気溝２１を介して補強枠２０の内側部分２２は補強枠２０の外側部分と連通する。したがって、背板６と部屋Ｒの内壁Ｗとの間に通気路が形成され、空気はこの通気路を流通することができ、通気性が確保される。収納体１の収納部７内の空気は、収納部７にこもることがなく、背板６を通じて収納部７の外部に流出し、また、通気溝２１を通じて補強枠２０の内側部分２２に侵入した部屋Ｒの空気は、背板６を通じて収納部７に侵入することができる。空気は収納部７の内外を流通することができるため、背板６である調湿板材１２は、本来的に有する高い調湿機能を十分に発揮し、収納部７の湿度を適切に制御することができる。
【００３５】
もちろん、収納体１は、補強枠２０を内壁Ｗに当接させずに設置する場合にも通気性を確保することができる。
【００３６】
また、収納体１では、補強枠２０によって背板６が補強され、収納体１の強度は十分に確保される。調湿板材１２の強度がさほど高くない場合にも、収納体１として十分な強度が実現される。
【００３７】
さらに、収納体１の強度は、桟材２３の付設によって補強枠２０の強度が向上することにともなって、より十分に確保される。しかも、桟材２３に形成された連通溝２４によって、収納体１の背側に形成される上記通気路が遮断されることはなく、通気性も十分に確保される。
【００３８】
さらにまた、通気溝２１は、収納体１の上下方向に配置されているので、補強枠２０の内側部分２２における空気の滞留を有効に抑えることができ、収納体１の背側における空気の流通は十分に行われる。同様に、連通溝２４も収納体１の上下方向に配置されているので、桟材２３を付設した場合にも収納体１の背側における空気の流通は十分に行われる。
【００３９】
そして、上下の枠材１９において通気溝２１は同一直線上に配置されているので、収納体１の背側における空気の流通はスムーズに行われる。また、連通溝２４も通気溝２１と同一直線上に配置されているので、収納体１の背側における空気の流通はより一層スムーズに行われる。
【００４０】
このような補強枠２０を形成する枠材１９および付設される桟材２３としては、一般には木製のものが例示されるが、軽量化、高強度化などを図るために、樹脂製または金属製のものを採用することもできる。また、桟材２３は、補強枠２０の高さ方向の中央部に取り付ける以外に、２本以上の複数のものを所定の間隔で補強枠２０の内側部分２２に取り付けることもできる。さらに、通気溝２１および連通溝２４は、収納体１の大きさや設置する部屋Ｒの構造などによっては、収納体１の左右方向に配置したり、収納体１の背側に形成される通気路が横から上下方向に向かうように、上下方向と左右方向を組み合わせて配置したりすることもできる。
【００４１】
なお、補強枠２０は、天板２、底板３および左右の側板４、５を収納体１の背側に延設することによって、収納体１と一体的に形成することも可能である。この場合、調湿板材１２である背板６は、天板２、底板３および左右の側板４、５の背側の端部における内面に溝を刻設し、これらの溝からなる四周溝に嵌め込むことによって取り付けることができる。
【００４２】
また、本発明の収納体は、上記実施形態に限定されることはなく、大きさ、形状をはじめ、収納部の構造などや用途などについても様々な態様が可能である。
【符号の説明】
【００４３】
１  収納体
２  天板
３  底板
４、５  側板
６  背板
６ａ  背面
７  収納部
１２  調湿板材
１９  枠材
２０  補強枠
２１  通気溝
２３  桟材
２４  連通溝
【図１】
2010252871.tif 000003
【図２】
2010252871.tif 000004
【図３】
2010252871.tif 000005
【図４】
2010252871.tif 000006